(57)【要約】【課題】  ハンドルグリップに手のひらを乗せた状態で楽にグリップが掴め、また転舵操作においてハンドルを回転しても手くびの曲げ負担を少なくできる玉状グリップのハンドルを、製造コストが安くでき、見栄も良い、簡素な構成のハンドルとする。【解決手段】  左右両側のハンドルパイプ端が上向きになるように配し、そのハンドルパイプの先端に上方から玉状のグリップを挿入した構造とし、上方から手のひらを乗せて掴めるハンドルグリップとした。【選択図】図１
2014156237.tif 000002
【特許請求の範囲】
【請求項１】
左右一対のグリップを有する自転車用ハンドルにおいて、両側のハンドルパイプ端が上向きになるように配し、そのハンドルパイプの先端に玉状のグリップを上方から挿入した構造とし、上方から手のひらを乗せてグリップを掴むようにしたハンドル、および、そのグリップ。
【請求項２】
グリップにはシャフトが一体に結合されており、グリップから延出したシャフトをハンドルパイプの中空部に差し込んでなる構造の、請求項１のハンドル、および、そのグリップ。
【請求項３】
グリップがハンドルパイプを中心軸として回転自在とした、請求項１および請求項２のハンドル、および、そのグリップ。
【発明の詳細な説明】
【技術分野】
【０００１】
本発明は、自転車用のハンドルの改良に関するものである。
【背景技術】
【０００２】
従来の自転車用ハンドルグリップは、特開２００３−７０８７６の例のような棒状のものが一般的であるが、特開２００８−６８６６０にはグリップ形状を玉状としたものがある。一般的な棒状のハンドルグリップにおいてはハンドルを回転すると腕とグリップのなす角度が変化するため、その角度変化は手くびの曲げで吸収することになる。これに対しグリップ形状を玉状にすることにより、上方から手のひらを乗せるようにグリップを掴み、転舵する場合はグリップ上で手のひらを滑らせながら操作することで手くびに曲げは生じず、手くびへの負担が軽減される。
【先行技術文献】
【特許文献】
【０００３】
【特許文献１】特開２００３−７０８７６
【特許文献２】特開２００８−６８６６０
【特許文献２】実願平６−２７８０
【発明の概要】
【発明が解決しようとする課題】
【０００４】
しかしながら、特開２００８−６８６６０にあっては、ハンドルが「バー状の水平部１８と、水平部１８の両端部を前方斜め上方に屈曲し、互いに離間する方向に延出させた左右の立ち上がり部１９と、各立ち上がり部１９の先端を球状に膨出させて形成したグリップ部２０」となっており、ハンドル全体が一体成型のためシンプルではあるが製造コストの高いものとなってしまう。
あるいは、実願平６−２７８０は左右に伸びたハンドルバーの両端に付加グリップを設けたものであるが、仮にこのグリップを玉状のものとすれば前述の効用は得られるが、部品点数が増えてしまい製造コストも上がってしまう。
本発明の狙いは、転舵操作において手くびへの負担が軽減できる玉状グリップのハンドルを、安価に製造でき且つ見栄えのよいシンプルな構造とすることである。
【課題を解決するための手段】
【０００５】
左右両側のハンドルパイプ端が上方を向くように配し、そのハンドルパイプの先端に、玉状のグリップを上方から挿入したハンドルとし、さらには、玉状グリップと一体となったシャフトを延出させ、そのシャフトを中空のハンドルパイプの中に差し込んでなる構造とした。
また、玉状グリップをハンドルパイプを中心軸として回転自在な構造とした。
【発明の効果】
【０００６】
本案発明によれば、ハンドル操作において手くびへの負担を軽減できる玉状グリップのハンドルを、簡素な構成で、製造コストを安くし、また見栄えもよいものとすることができる。
【図面の簡単な説明】
【０００７】
【図１】本発明のハンドルの全体図である。
【図２】本発明のハンドル先端部の第１の実施例の断面図である。
【図３】図２のグリップを取り外した状態の図である。
【図４】図２のグリップの断面図である。
【図５】図２のグリップをA方向から見た外観図である。
【図６】本発明のハンドル先端部の第２の実施例の断面図である。
【図７】図６のグリップの断面図である。
【発明を実施するための形態】
【０００８】
以下、本発明の実施例について図を参照して説明する。  
図１は本発明のハンドルの全体図である。
ハンドルパイプ（１）の両端が上向きになるように配され、その先端に玉状のグリップ（２）が上方から挿入されている。こうすることにより手のひらを上から乗せた状態でグリップ（２）を掴め、かつ腕の向きも自由にできるため姿勢が楽である。また転舵する場合も、グリップ（２）を掴んだ手のひらを滑らせながらハンドルを操作することで手くびへの曲げの負担は少ない。
さらに、ハンドルパイプ（１）を中心軸としてグリップ（２）を回転自在とすれば、グリップ（２）を強く掴んだ状況において手のひらを滑らせなくとも、転舵による角度変化分はグリップ（２）とハンドルパイプ（１）間で吸収され手くびへの曲げは生じない。
【０００９】
図２は本発明のハンドル先端部の第１の実施例の断面図である。
ハンドルパイプ（１）の先端からパイプの内側にプラグ（３）をパイプの外側にグリップ（２）を挿入し、抜け止めピン（４）でグリップ（２）が抜けないように系合されている。
図３は図２に対し、グリップ（２）と抜け止めピン（４）を取り外した状態である。ハンドルパイプ（１）およびプラグ（３）には、抜け止めピン（４）で系合するための、それぞれピン穴（５）およびピン止め部（６）が設けられている。
図４は図２のグリップの断面図である。
グリップ（２）には、ハンドルパイプ挿入穴（７）と抜け止めピン挿入穴（８）と円周溝（９）が設けられている。円周溝（９）を設けたことによりグリップ（２）は抜け止めピン（４）と干渉することなくハンドルパイプ（１）を中心軸として回転自在となっている。
図５は図２のグリップ（２）をA方向から見た外観図である。
【００１０】
図６は本発明のハンドル先端部の第２の実施例の断面図である。
ハンドルパイプ（１）の先端からパイプの内側にグリップ（２）と一体のグリップシャフト（１０）が挿入され、抜け止めピン（４）で抜けないように系合されている。
図７は図６のグリップの断面図である。
グリップシャフト（１０）はグリップ（２）と一体となっており、グリップシャフト（１０）には抜け止めピン（４）の先端が納まるピン溝（１１）が全周にわたって設けられており、グリップ（２）と一体のグリップシャフト（１０）は抜け止めピン（４）と干渉することなくハンドルパイプ（１）を中心軸として回転自在となっている。
【００１１】
尚、本発明のグリップは、ハンドルパイプに対し回転しないように固定したもの、またグリップの形状は球状に限らず指の形状に合わせた窪みを付けたものなど手のひらを乗せて掴める各種形状のものを包含している。
【産業上の利用可能性】
【００１２】
本発明は、左右一対のハンドルグリップを有する自転車に利用されるものであり、転舵する場合の手くびの曲がり負担を軽減できる玉状グリップのハンドルを、簡素な構造とし製造コストが安価で、また見栄えも良くするものである。
【符号の説明】
【００１３】
１    ハンドルパイプ
２    グリップ
３    プラグ
４    抜け止めピン
５    ピン穴
６    ピン止め部
７    ハンドルパイプ挿入穴
８    抜け止めピン挿入穴
９    円周溝
１０  グリップシャフト
１１  ピン溝
【図１】
2014156237.tif 000003
【図２】
2014156237.tif 000004
【図３】
2014156237.tif 000005
【図４】
2014156237.tif 000006
【図５】
2014156237.tif 000007
【図６】
2014156237.tif 000008
【図７】
2014156237.tif 000009
【手続補正書】
【提出日】平成25年5月26日(2013.5.26)
【手続補正１】
【補正対象書類名】特許請求の範囲
【補正対象項目名】全文
【補正方法】変更
【補正の内容】
【特許請求の範囲】
【請求項１】
左右一対のグリップを有する自転車用ハンドルにおいて、両側のハンドルパイプ端が上向きになるように配し、そのハンドルパイプの先端に玉状のグリップを上方から挿入した構造とし、上方から手のひらを乗せてグリップを掴むようにした、転舵する場合にグリップを掴んだ手を滑らせながらハンドルを操作することで手くびの曲げ負担を軽減できるハンドル、および、そのグリップ。
【請求項２】
グリップにはシャフトが一体に結合されており、グリップから延出したシャフトをハンドルパイプの中空部に差し込んでなる構造の、請求項１のハンドル、および、そのグリップ。
【請求項３】
グリップがハンドルパイプを中心軸として回転自在とした、請求項１および請求項２のハンドル、および、そのグリップ。